(57)【要約】      （修正有）【課題】練り餌の収納位置の合理的な選定によって、手返しを迅速に行い得る釣り竿を提供する。【解決手段】  元竿２のリール脚取付用のリールシート保持部５に複数の穴５Ｂを形成し、この複数の穴５Ｂに練り餌を収納する練り餌収納保持部５Ａを形成してある。【選択図】図１
2006149218.tif 000002
【特許請求の範囲】
【請求項１】
元竿のリール脚取付用のリールシート保持部に、練り餌を収納する収納保持部を形成してある釣り竿。
【請求項２】
元竿における握り部とは異なる位置に、練り餌を収納する収納保持部を形成してある釣り竿。
【請求項３】
元竿の尻栓取付部に、練り餌を収納する収納保持部を形成してある釣り竿。
【請求項４】
元竿に竿尻側グリップ部と竿先側グリップ部とを設け、前記した竿尻側グリップ部と竿先側グリップ部のうち少なくとも竿先側グリップ部に、練り餌を収納する収納保持部を形成してある釣り竿。
【請求項５】
前記リールシート保持部に複数の穴を形成し、前記複数の穴を、球状に形成した練り餌を収納保持する収納保持部に形成してある請求項１〜４のうちのいずれか一つに記載の釣り竿。
【発明の詳細な説明】
【技術分野】
【０００１】
本発明は、釣り人が手を添えて釣り操作を行う元竿を装備している釣り竿に関する。
【背景技術】
【０００２】
チヌ（黒鯛）釣り等においては、仕掛けに餌を付け直して仕掛けを再投入する釣り操作をすばやく行って釣果を上げるように手返しの速さが要求されるものである。仕掛けを投入する前に、針に餌を取り付ける必要があるが、その場合に、釣り人は竿を竿受け等に載置した状態で、近くに置いてある容器に作り置きしている練り餌を柄杓状のもので掬って、手で丸めて所謂団子を形成し、この団子状の練り餌の中に海老等の生き餌を取り付けた針を差し込んで、竿を竿受けより取り外しその竿を持ってその団子状の練り得を海面に投入することを行っている。
このような練り餌を使用するのは、餌取り魚の群れる水深の浅いところでは生き餌を団子状の練り餌の中で保護しながら、釣り上げる対象となっているチヌ等が群れる水深の深いところや着底した状態で団子が割れて生き餌が表出することを狙ったものである。
また、ヘラ鮒釣りや鯉釣りにおいても団子状の練り餌を使用する。
このような、練り餌を収納するものとして、釣り用のバケツが使用されていた（特許文献１参照）。
【０００３】
【特許文献１】特開平１１−６９９３４号公報（公報段落番号〔０００１〕）
【発明の開示】
【発明が解決しようとする課題】
【０００４】
しかし、前記したように、釣り人は竿を竿受け等に載置した状態で、近くに置いてある容器に作り置きしている練り餌を柄杓状のもので掬って、手で丸めて所謂団子を形成し、この団子状の練り餌の中に海老等の生き餌を取り付けた針を差し込んで、竿を竿受けより取り外しその竿を持ってその団子状の練り得を海面に投入する操作を行うことは、面倒なものであり、竿を引き上げて餌を付け直して再度仕掛けを投入する手返しの迅速さが損なわれることになっていた。
一方、このような団子状の練り餌を作る場合に比べて手軽に練り餌を交換できるものとして、丸玉状の練り餌を収納袋に入れて市販されているものがある。
しかし、この収納袋に入れてある練り餌を使用する場合であっても、餌を付け替える度に、袋から取り出すことが必要になり、手返しの速さを十分には達成できるものとはなっていなかった。
このために、餌取り魚を誘きよせる練り餌を即投入できるように、その練り餌の収納部位を合理的に選定することが望まれていた。
【０００５】
本発明の目的は、練り餌の収納位置の合理的な選定によって、手返しを迅速に行い得る釣り竿を提供する点にある。
【課題を解決するための手段】
【０００６】
〔構成〕
請求項１に係る発明の特徴構成は、元竿のリール脚取付用のリールシート保持部に、練り餌を収納する収納保持部を形成してある点にあり、その作用効果は次の通りである。
【０００７】
〔作用〕
元竿のリールシート保持部に練り餌の収納保持部を形成したので、その収納保持部に予め練り餌を収納しておけば、仕掛けを再投入するに際にも、その収納保持部より直ぐ取り出して生き餌を取り付けた針に差し込み直ぐに仕掛けを投入することができる。
【０００８】
〔効果〕
したがって、従来のように、容器に作り置きしている練り餌を柄杓状のもので掬って、手で丸めて所謂団子を形成する、或いは、餌を付け替える毎に餌を収納袋より取り出すという前作業をする必要がなく、仕掛けを引き上げた状態で直ぐに練り餌の針掛け行うことができるので、仕掛けの投入を直ぐに行うことができ、手返しの迅速化を達成できる。
しかも、リールシート保持部の外周面においてはリール脚を取付ける部分については空きスペースとはなっていないが、そのリール脚取付部以外の両側面部分は空きスペースとなっており、かつ、釣操作時にこのリールシート保持部に握る手の掌があてがわれるとしても、その手の掌が宛がわれている部分以外の側面部分は空きスペースとなっている。
そこで、その部分に練り餌収納保持部を形成することによって、釣操作時の握り部分に影響を与えることがない。
【０００９】
請求項２に係る発明の特徴構成は、元竿における握り部とは異なる位置に、練り餌を収納する収納保持部を形成してある点にあり、その作用効果は次の通りである。
【００１０】
〔作用効果〕
元竿の握り部とは異なる位置に練り餌の収納保持部を形成したので、その収納保持部に予め練り餌を収納しておけば、仕掛けを再投入するに際にも、その収納保持部より練り餌を取り出して針に差し込み直ちに仕掛けを投入することができる。
しかも、練り餌を収納する部分が握り部とは異なる位置に設けてあるので、元竿を握るのに邪魔にならず、握り部に餌の残滓が付着することが少ない。
【００１１】
〔構成〕
請求項３に係る発明の特徴構成は、元竿の尻栓取付部に、練り餌を収納する収納保持部を形成してある点にあり、その作用効果は次の通りである。
【００１２】
〔作用効果〕
元竿の尻栓取付部に練り餌の収納保持部を形成したので、その収納保持部に予め練り餌を収納しておけば、仕掛けを再投入するに際にも、その収納保持部より直ぐ取り出して生き餌を取り付けた針に差し込み直ぐに仕掛けを投入することができる。
しかも、尻栓取付部においては、直接手があてがわれることは少なく空きスペースとなっているので、その部分に練り餌収納保持部を形成することによって、釣操作に与える影響は少なく、かつ、尻栓取付部は元竿の他の部分に比べて大径に形成されるものであるので、練り餌を収納するスペースを十分に確保することができる。
【００１３】
請求項４に係る発明の特徴構成は、元竿に竿尻側グリップ部と竿先側グリップ部とを設け、前記した竿尻側グリップ部と竿先側グリップ部のうち少なくとも竿先側グリップ部に、練り餌を収納する収納保持部を形成してある点にあり、その作用効果は次の通りである。
【００１４】
〔作用効果〕
元竿の竿先側グリップ部に練り餌の収納保持部を形成したので、その収納保持部に予め練り餌を収納しておけば、仕掛けを再投入するに際にも、その収納保持部より直ぐ取り出して生き餌を取り付けた針に差し込み直ぐに仕掛けを投入することができる。
しかも、竿先側グリップ部においては、直接手があてがわれることは少なく空きスペースとなっていることが多く、かつ、竿尻側グリップ部においてもグリップ部の全面に亘って手があてがわれるわけではないので、その空きスペース部分に練り餌収納保持部を形成することによって、釣操作に与える影響は少なく、かつ、グリップ部は元竿の他の部分に比べて大径に形成されるものであるので、練り餌を収納するスペースを十分に確保することができる。
【００１５】
請求項５に係る発明の特徴構成は、請求項１に係る発明において、前記リール脚取付用のリールシート保持部に複数の穴を形成し、前記穴を、球状に形成した練り餌を収納保持する収納保持部に形成してある点にあり、その作用効果は次の通りである。
【００１６】
〔作用効果〕
練り餌を球状に丸め、リールシート保持部に形成した穴内に収納することによって、練り餌は適度な湿分を持って丸められているので、穴内に収納されても安定して収納されており、取り出しも容易である。
【発明を実施するための最良の形態】
【００１７】
〔第１実施形態〕
海釣り、磯釣り等に使用される釣り竿１について説明する。
釣り竿１は、元竿２、複数の中竿、穂先竿とを夫々糸ガイドを備えて構成してあり、図１に示すように、元竿２の中間部にスピニングリール３を取り付けるリールシート保持部５を備えている。
【００１８】
釣り竿１は、基本的には、ガラス繊維かカーボン繊維等の強化繊維にエポキシ等の熱硬化性樹脂を含浸させて形成したプリプレグをマンドレルに巻回して筒状に形成した竿素材１Ａを焼成して形成されている。
【００１９】
リールシート保持部５の構成について説明する。
図１及び図２に示すように、リールシート保持部５は、円筒状の竿素材１Ａの所定外周面に、ポリエチレン・テレフタレート（ＰＥＴ）やＡＢＳ樹脂等のエンジニアリング樹脂をインジェクション成型法によって一体形成されている。リール脚部３Ａを取り付ける表側には、固定フード６がリールシート保持部本体と一体形成されており、固定フード６の竿尻側には金属製の可動フード７が竿芯方向に形成された係合溝５ａに係合してスライド移動自在に装着されている。
【００２０】
釣操作を行う際には、リールシート保持部５における図１に示す手前側とは反対側の背面側より、右手で握って、リールシート保持部５とリール脚部３Ａとを一体で握り締める操作形態を採っている。このような握り操作をする場合に、リールシート保持部５における図に示す面は、空きスペースとなっている。したがって、釣操作時に握ることはない部分で空きスペースと成っている点に着目して、後記するような練り餌収納保持部５Ａを形成する。
【００２１】
図１及び図２に示すように、リール脚取付用のリールシート保持部５の一側面に複数の穴５Ｂを形成し、複数の穴５Ｂを、球状に形成した練り餌ａを収納保持する収納保持部５Ａに形成してある。穴５Ｂの形状としては球状に形成された練り餌ａに合わせて半球状に形成されているが、穴５Ｂの形状としては、立方体状、または、長方体状に角張った形状のものでもよい。
【００２２】
〔第２実施形態〕
リールを使用しないメバル釣りやヘラ鮒釣り等に使用される釣り竿１の元竿２に練り餌収納保持部２Ａを設ける構成について説明する。図４に示すように、元竿２の中間位置にプリプレグシートを巻き重ねて膨出部２Ｂを形成するとともに、その膨出部２Ｂの後方部分を釣り人の握り部２Ｃとして形成する。膨出部２Ｂの外周面に複数個の穴２Ｄを形成し、この穴２Ｄに丸玉状の練り餌ａを収納して練り餌収納保持部２Ａを形成する。握り部２Ｃと練り餌収納保持部２Ａとの前後位置は入れ替わってもよい。
【００２３】
〔第３実施形態〕
図５に示すように、元竿２の竿尻端部に竿尻端側ほど大径化する尻栓取付部２Ｅを形成するとともに、尻栓取付部２Ｅの尻リングに尻栓８を取り付けてある。尻線取付部２Ｅの外周面に複数個の穴２Ｄを形成し、この穴２Ｄに丸玉状の練り餌ａを収納して練り餌収納保持部２Ａを形成する。また、この実施形態においては、尻栓取付部２Ｅの前方にリールシートを設けてもよい。
【００２４】
〔第４実施形態〕
図６に示すように、元竿２に竿尻側グリップ部２Ｆと竿先側グリップ部２Ｇとを設け、前記竿先側グリップ部２Ｇの外周面に複数個の穴２Ｄを形成し、この穴２Ｄに丸玉状の練り餌ａを収納して練り餌収納保持部２Ａを形成する。竿尻側グリップ部２Ｆにスペースを見出すことができれば、竿先側グリップ部２Ｇ及び竿尻側グリップ部２Ｆの両方に練り餌収納保持部２Ａを形成してもよい。また、この実施形態においては、両グリップ２Ｆ、２Ｇの間にリールシートを設けてもよい。
【００２５】
〔別実施の形態〕
リールシート保持部５としては、両軸受リールまたは片軸受リールを取り付けるリールシート保持部５を利用してもよい。
【図面の簡単な説明】
【００２６】
【図１】元竿に練り餌収納保持部を形成した状態を示す側面図
【図２】リールシート保持部に練り餌収納保持部を形成した状態を示す縦断正面図
【図３】練り餌収納保持部から練り餌を取出す状態を示す斜視図
【図４】リールを使用しない元竿に練り餌収納保持部を形成した状態を示す側面図
【図５】尻栓の取付部に練り餌収納保持部を形成した状態を示す側面図
【図６】二つのグリップ部の一方に練り餌収納保持部を形成した状態を示す側面図
【符号の説明】
【００２７】
２            元竿
２Ａ，５Ａ    練り餌収納保持部
２Ｂ          膨出部
２Ｃ          握り部
２Ｄ，５Ｂ    穴
２Ｇ，２Ｆ    グリップ部
５            リールシート保持部
【図１】
2006149218.tif 000003
【図２】
2006149218.tif 000004
【図３】
2006149218.tif 000005
【図４】
2006149218.tif 000006
【図５】
2006149218.tif 000007
【図６】
2006149218.tif 000008